(57)【要約】本発明は、発呼者からＰＢＸの内線までのコールを設定するための方法に関する。発呼者にＰＢＸの内線の情報を図式的に表示することによって、ユーザは容易かつ迅速に所望の内線を選定することができる。
2008520160.tif 000002
【特許請求の範囲】
【請求項１】
発呼者から構内交換機を介して前記構内交換機の内線までのコールを設定するための方法であって、
前記発呼者から前記構内交換機までのコールを設定する（１）ステップと、
前記発呼者に前記構内交換機の複数の内線の情報を送信する（２）ステップと、
前記複数の内線のうちの少なくとも２つを前記発呼者に図式的に表示する（３）ステップと、
表示された内線のうちの少なくとも１つを選定する（６）ステップと、
前記選定を受信して（７）、前記構内交換機が前記選定された少なくとも１つの内線に前記コールを待ち行列させる（８）ステップと、
を含む方法。
【請求項２】
請求項１に記載の方法であって、さらに、
表示された内線のうちの１つを選択する（４）ステップと、
前記選択された内線の情報を前記発呼者に表示する（５）ステップと、
を含む方法。
【請求項３】
請求項１または２に記載の方法において、前記選定するステップは、表示された内線のうちから少なくとも２つを選定することを含み、前記受信するステップは、前記コールを前記選定された少なくとも２つの内線に待ち行列させることを含む、方法。
【請求項４】
請求項３に記載の方法であって、さらに、
前記コールを、前記発呼者が待ち行列している内線のうちの１つに、前記発呼者がこの内線に接続されるべき位置にいるときに接続するステップと、
前記発呼者が待ち行列している他の内線待ち行列から前記発呼者を取り除くステップと、
を含む方法。
【請求項５】
請求項３に記載の方法において、内線に対する前記待ち行列のそれぞれに優先度を与える、方法。
【請求項６】
請求項５に記載の方法において、各優先度に時間切れを与える、方法。
【請求項７】
請求項６に記載の方法であって、さらに、
前記発呼者が待ち行列している内線のうちの１つが最も高い優先度を有しているかどうかを、前記発呼者がこの内線に接続されるべき位置にいるときにチェックするステップと、
この内線が最も高い優先度を有しているときに、
前記コールをこの内線に接続すること、
前記発呼者が待ち行列している他の内線待ち行列から前記発呼者を取り除くこと、
を行なうステップと、
この内線が最も高い優先度よりも低い優先度を有しているときに、
前記発呼者をこの内線に対する待ち行列内で１ステップ戻すこと、
最も高い優先度が時間切れになったときに最も高い優先度を低くして２番目に高い優先度に等しくすること、
を行なうステップと、
を含む方法。
【請求項８】
発呼者から構内交換機を介して前記構内交換機の内線までのコールを設定するための方法であって、
前記発呼者から前記構内交換機までのコールを設定する（１）ステップと、
前記発呼者に前記構内交換機の複数の内線の情報を送信する（２）ステップと、
前記複数の内線のうちの少なくとも２つを前記発呼者に図式的に表示する（３）ステップと、
表示された内線のうちの１つを選定する（６）ステップと、
前記選定を受信して（７）、前記構内交換機が前記選定された内線に前記コールを接続する（８）ステップと、
を含む方法。
【請求項９】
請求項８に記載の方法であって、さらに、
表示された内線のうちの１つを選択する（４）ステップと、
前記選択された内線の情報を前記発呼者に表示する（５）ステップと、
を含む方法。
【請求項１０】
請求項８または９に記載の方法において、前記複数の内線のうちの少なくとも２つを図式的に表示する前記ステップは、前記複数の内線を複数の階層レベルで表示することを含む、方法。
【請求項１１】
発呼者から構内交換機を介して内線までのコールを設定するための方法であって、
前記発呼者から前記構内交換機までのコールを設定する（１）ステップと、
前記構内交換機の複数の内線の情報を受信する（２）ステップと、
前記複数の内線のうちの少なくとも一部を前記発呼者に図式的に表示する（３）ステップと、
表示された内線のうちの１つを選定する（６）ステップと、
前記構内交換機に前記選定を送信して（７）、前記構内交換機が前記コールを前記選定された内線に接続する（８）ステップと、
を含む方法。
【発明の詳細な説明】
【技術分野】
【０００１】
本発明は一般的に、コールの設定に関する。特に本発明は、発呼者から構内交換機を介して構内交換機の内線までのコールを設定するための方法に関する。
【背景技術】
【０００２】
現在、会社または官庁に電話をすると、接続の選択肢が示されて内線の自動接続が行なわれることが、次第に一般的になっている。ユーザは、示された選択肢のうちの１つを、電話機上のボタンを押すこと（いわゆるＤＴＭＦ信号送信）によって、または電話機に向かって話すこと（いわゆる音声制御）によって選択する。最初にこのような選択を行なった後、一般には、さらに選択肢が示されて、最終的に会社または官庁の構内交換機（ＰＢＸ）の目当ての内線に接続される。
【０００３】
このような自動接続の問題は、多くの選択肢を聞くことにイライラする可能性がある（ステップが複数ある場合にはなおさらである）だけでなく、間違った選択肢を選択した場合には、おそらく会社または官庁にもう一度電話することで全体を始める必要があることである。言い換えれば、このような自動接続の問題は、多くの選定を、会社のＰＢＸ（または官庁）と発呼者との間で転送する必要があることである。
【発明の開示】
【発明が解決しようとする課題】
【０００４】
本発明の目的は、発呼者から構内交換機の内線までのコールを設定するための方法であって、このようなコールの設定を容易にする方法を提供することにある。
【課題を解決するための手段】
【０００５】
この目的はとりわけ、本発明によれば、添付の請求項による方法によって達成される。
本発明による優位性は、複数の選択肢を図式的に表示することによって、より多い情報を発呼者がより速く処理できること、さらに、選択肢のうちの１つを選定することを用いて、前記情報の階層内で複数のステップ下方に位置する内線を選択できることである。
【０００６】
別の優位性は、本発明の第２の実施形態によれば、図式的に表示された情報を用いて、さらなる情報に容易にアクセスできること、さらに、階層内において表示された情報を上下に行き来できることである。
【０００７】
本発明のさらなる特徴および優位性は、以下の説明から明らかになる。
【発明を実施するための最良の形態】
【０００８】
本発明は、以下に示す実施形態の詳細な説明および添付した図から、より十分に理解される。添付図面は、単に例示として示されており、したがって本発明を限定するものではない。
【０００９】
以下の説明では、説明を目的として、限定ではなく、特定の詳細たとえば特定の技術および応用について、本発明の十分な理解が得られるように述べる。しかし当業者には明らかなように、本発明は、これらの特定の詳細から逸脱する他の実施形態で実行しても良い。他の場合には、良く知られた方法および器具の場合は詳細な説明を省略して、本発明の説明が不要な詳細事項で不明瞭になることがないようにする。
【００１０】
本発明の第１の実施形態について、図１および２を参照して説明する。
電話加入権とともにグラフィカル・インターフェースを有するユーザであれば、本発明を利用することができる。考えられるこのような設備の例は、携帯電話、コードレス電話機、またはコンピュータ上のソフトフォーンである。
【００１１】
発呼者は、たとえば会社または官庁のＰＢＸ（構内交換機）へのコールを設定する（１）。ＰＢＸは、発呼者から、ＰＢＸの内線についての情報のリクエストを受信する。ＰＢＸは、リクエストされた情報を発呼者に送信する（２）。ＰＢＸの内線についての情報を、ユーザに対して図式的に表示する（３）。ユーザは、図式的に表示された内線のうちの１つを選定する（６）。ユーザが選定した内線の情報をＰＢＸへ送信する（７）。ＰＢＸは、選定した内線についての情報を受信して、選定した内線にコールを接続する（８）。
【００１２】
ユーザに図式的に表示される情報は、複数の方法で構成されていても良い。容易にアクセス可能な情報が、たとえば内線を階層内のノードとして示すことによって得られる。これについて図２に例示する。消費者を対象とする会社の場合、最上位レベルはたとえばＰＢＸのオーナーを示す。第２のレベルは、種々の機能、たとえば移動電話通信、有線電話通信、およびオペレータを示す。第３のレベルはたとえば、請求書の問い合わせおよび技術サポートなどの考えられる選択についてのより詳細な説明を示す。
【００１３】
あるいは、他の会社を対象とする会社の場合、最上位レベルはたとえばＰＢＸのオーナーを示す。第２のレベルは、種々の部門、たとえば製造、中核機能、および経理を示す。第３のレベルはたとえば、責任ある情報およびＣＥＯなどの選択についてのより詳細な説明を示す。
【００１４】
ＰＢＸの内線は一般的に、末端ノード、たとえば前述のオペレータ、請求書の問い合わせ、およびＣＥＯのみに存在する。末端ノードより上方のノードは一般的に、単に各内線が示す内容の情報図を構成するための情報提供的なものである。
【００１５】
こうしてユーザは、内線のうちの１つを、どのレベルの階層にそれが属しているかにかかわらず、直接選定することができる。選定はたとえば、内線上でマウスをクリックすること、タッチ・スクリーン上で示すこと、または音声制御によって行なっても良い。ハイパーリンク上でのクリックを用いてノードを選定することが好ましい。３つのレベルを用いてこの実施形態を例示しているが、任意の数のレベルを用いても良い。
【００１６】
ＰＢＸと発呼者との間の情報転送を、ウェブ・ページを介して、好ましくはプロキシ・サーバを通して行なって、発呼者がこのウェブ・ページにタグを付けて、将来にまた使用できるようにしても良く、好都合である。したがってＰＢＸは、そのウェブ・ページ上で設定コールを情報転送にリンクできる必要がある。
【００１７】
次に本発明の第２の実施形態について、図３を参照して説明する。この第２の実施形態は、以下のことを除いて、前述した第１の実施形態と同一である。
ＰＢＸの内線についての情報がユーザに図式的に表示された（３）後で、ユーザは、ノードを選定する代わりにノードを二者択一的に選択しても良い（４）。ノードを選択すること（４）によって、発呼者にすでに表示された情報に加えて、さらなる情報が発呼者に対して表示される（５）。これは優位である。なぜならば、全体図では各ノードに対して表示される情報はスペースが限定されているからである。一方で、ノードを選択することで得られるさらなる情報は、はるかに多いスペースの表示を用いることができる。好ましくは、さらなる情報は、ノード選定用のハイパーリンクとは異なるハイパーリンクを介してアクセスされる。両ハイパーリンクともノード内に表示される。全体情報はたとえば、受信機能の名前であっても良い。さらなる情報にはたとえば、存在、利用可能性、待ち行列している人の数、接続までの推定される待ち時間、および代替的な内線の参照についての情報が含まれていても良い。
【００１８】
ノードの選択を二者択一的に、たとえば、内線上でマウスをクリックすること、タッチ・スクリーン上で示すこと、または音声制御によって行なっても良い。ノードの選定とノードの選択とを異なるハイパーリンクを用いることなく区別するために、たとえばマウスの左および右クリックを利用する。ノードについてのさらなる情報を表示する別の代替案は、ポインタ、たとえばマウス・ポインタを、所望のノード上にその後も保持することである。
【００１９】
１つのレベルのノードに多くのサポート・オペレータが含まれる場合には、各オペレータに対する一般的な情報には、各オペレータの識別表示、たとえばオペレータのファースト・ネーム、およびそのオペレータに待ち行列している人の数を含めることができる。この結果、発呼者は、最短の待ち行列であると思うものを選択することができるか、または以前に話したことのあるオペレータを選ぶことができる。これは、ＰＢＸが個々の待ち行列を可能にする場合に、可能である。そうでない場合、より一般的な方法は、複数のオペレータのうち最初に利用可能なオペレータに対する全体的な待ち行列である。これは別個のノード（たとえば、提示された階層内で１レベル上方のもの）であっても良い。全体的な待ち行列を別個のノードに設けることによって、ユーザに、特定のオペレータを選定するかまたは全体的な待ち行列を選定するかの選択を与える。待ち行列することに関連して好ましい特徴は、所定の時間だけ待ち行列をした後にコールの接続を切ることである。
【００２０】
その後、ユーザは、表示された階層内でより高いレベル、より低いレベル、または同じレベルの別のノードを選択して、そのノードについてさらに情報を得ても良い。ユーザは、接続したいと希望するノードに満足しているなら、そのノードを選定する。
【００２１】
待ち行列の選定に対する別の代替案は、複数の内線を選定可能とすることである。ユーザが１つの内線に接続されたら、ユーザは他の待ち行列から取り除かれる。複数の内線を選定することに関連して、異なる内線の間で優先的な優先度を設定できることも好ましい。そしてユーザは、優先度が最も高い内線をどのくらい長く待つ用意があるのかを示す時間を提示する（たとえば５分間）。ユーザが、その時間の間、優先度がより低い内線に接続される位置にいた場合には、その内線には接続されずに、その待ち行列内で１ステップ戻される。ユーザが、提示した時間の間、優先度が最も高い内線に接続されなかった場合には、優先度を下げて２番目に高い優先度にすることで、ユーザが、選定した内線のうちもっと多くの内線に対して接続に適格となるようにする。
【００２２】
本発明は複数の方法で変形しても良いことが明らかである。このような変形は、本発明の範囲からの逸脱とみなしてはならない。当業者には明らかであるこのような変形はすべて、添付の請求項の範囲に含まれることが意図されている。このような変形の１つは、ユーザが複数の内線を選定しても良いことであり、またユーザが、待ち行列している選定した内線のうちの１つに接続されたときに、選定した他の内線を取り除くことである。
【図面の簡単な説明】
【００２３】
【図１】本発明の第１の実施形態による方法のステップを概略的に例示する図。
【図２】本発明の第１の実施形態による内線の図式的な表示を概略的に例示する図。
【図３】本発明の第２の実施形態による方法の付加的なステップを概略的に例示する図。
【図１】
2008520160.tif 000003
【図２】
2008520160.tif 000004
【図３】
2008520160.tif 000005
【国際調査報告】
2008520160.tif 000006
2008520160.tif 000007
2008520160.tif 000008
2008520160.tif 000009
2008520160.tif 000010